(57)【要約】【課題】  送風機の上流側に設けた空気吸込部に偏りなく外気を取り込める外気取込用のスペーサを備えた天井埋込形の空気調和機を提供する。【解決手段】  送風機と熱交換器とを設けた本体と、吸込口と吹出口とを備えた化粧パネルと、前記本体と前記化粧パネルとの間に設けられ、ダクトＤから外気を取り込む取込口１０と、外気を流通する流通路１１と、外気を導出する導出口１２ａ乃至１２ｄと、同導出口１２ａ乃至１２ｄから導出した外気と前記吸込口から吸い込んだ空気とを導く空気吸込路１３ａと、前記空気吹出部と前記吹出口とを連通する空気吹出路１３ｂとを備えた外気取込用のスペーサ１３を設けてなる天井埋込形の空気調和機において、前記導出口１２ａ乃至１２ｄは、前記空気吸込路１３ａの四側に夫々設けられるとともに、前記取込口１０から遠ざかるに従ってその開口を大きくした。【選択図】  図２
2010107054.tif 000002
【特許請求の範囲】
【請求項１】
下部中央に空気吸込部を、同空気吸込部の四側外周に空気吹出部を夫々設け、これら空気吸込部と空気吹出部とを結ぶ空気通路に送風機と熱交換器とを設けた本体と、前記空気吸込部に対応する吸込口と、前記空気吹出部に対応する吹出口とを備えた化粧パネルと、前記本体と前記化粧パネルとの間に設けられ、外気を取り込む取込口と、取り込んだ外気を流通する流通路と、同流通路から外気を導出する導出口と、同導出口から導出した外気と前記吸込口から吸い込んだ空気とを前記空気吸込部に導く空気吸込路と、前記空気吹出部と前記吹出口とを連通する空気吹出路とを備えた外気取込用のスペーサとからなる天井埋込形の空気調和機において、
前記スペーサの導出口は、前記空気吸込路の四側に夫々設けられるとともに、前記取込口から遠ざかるに従ってその開口を大きくしてなることを特徴とする天井埋込形の空気調和機。
【請求項２】
前記スペーサの導出口は、前記空気吸込路の四側の同じ位置に夫々設けられてなることを特徴とする請求項１に記載の天井埋込形の空気調和機。
【請求項３】
前記スペーサの取込口は、同スペーサの複数箇所に設けられてなることを特徴とする請求項１に記載の天井埋込形の空気調和機。
【請求項４】
前記スペーサの導出口は、同導出口に隣接する前記吹出口が閉止された際、閉塞されるようにしてなることを特徴とする請求項１または請求項２に記載の天井埋込形の空気調和機。
【発明の詳細な説明】
【技術分野】
【０００１】
本発明は、天井埋込形の空気調和機に係わり、より詳細には、送風機の上流側に設けた空気吸込部に偏りなく外気を取り込める外気取込用のスペーサの構成に関する。
【背景技術】
【０００２】
従来の天井埋込形の空気調和機には、図４に示すように、空気調和機本体ａと、化粧パネルｂとの間に取り付ける外気導入用のスペーサｃに様々なオプション部品の取り付けを可能とし、外気導入ダクトｉ用のダンパなどの調整器を用いなくても、外気導入比率の調整を広範囲に、かつ簡単に行うものがある。
【０００３】
具体的には、外気導入用のスペーサｃに様々なオプション部品を取付可能な構造として、外気導入の機能とオプション部品が同一のスペーサｃ内で共存できるようにし、また、該スペーサｃ、あるいは化粧パネルｂに室内または室外空気吸込流路開口率を調節できる機構を設け、外気導入比率を任意に調節できるようにし、加えて該機構に開口率検知センサを設け、外気導入ダクトｉ用の送風機の風量と連動させて、予め定めた制御により自動的に風量調節できるように構成されている（例えば、特開平１０−３００１２１号公報参照）。
【０００４】
このものにおいては、外気導入比率を任意に調節できるとともに、自動的に風量調節できるように構成されたものであって、一方向から導入された外気の流れはファンｄの手前で均等に分岐されていないことから、ファンｄにより、パネル吸込グリルｅから吸い込まれた室内空気といっしょに外気導入スペーサ吸込流路ｆから熱交換器ｇに向けて、偏りなく均等に分布された状態で流通させることが困難であった。
【０００５】
そのため、熱交換器ｇに向かう空気や、熱交換器ｇを流通した空気の分布に温度ムラが生じることになり、パネル吸込グリルｅの四側に設けられた吹出口ｈから吹き出される吹出空気は、四側のうちどの吹出口ｈから吹き出されるかによる吹出方向によって温度ムラが生じてしまうことがあった。
【０００６】
また、熱交換器ｇに向かう空気に温度ムラが生じることで、熱交換器ｇに取り付けられたセンサの誤検知があったり、一方向から外気を導入していたことで、ファンｄが外気をスムーズに吸い込みきれないためファンスピードや外気の取込量に制限があったり、吹出空気に温度ムラが生じることで、被空調室の快適な空気調和を実現できないという問題点を有していた。
【特許文献１】特開平１０−３００１２１号公報
【発明の開示】
【発明が解決しようとする課題】
【０００７】
そこで、本発明は上述した課題を解決するためになされたものであって、その目的は、送風機の上流側に設けた空気吸込部に偏りなく外気を取り込める外気取込用のスペーサを備えることにより、ファンスピードや外気の取込量に制限が生じず、また、熱交換器に向かう空気や熱交換器を流通した空気に温度ムラが生じない天井埋込形の空気調和機を提供することにある。
【課題を解決するための手段】
【０００８】
上述した目的を達成できるように構成するため、本発明は以下に示す特徴を備えている。
【０００９】
下部中央に空気吸込部を、同空気吸込部の四側外周に空気吹出部を夫々設け、これら空気吸込部と空気吹出部とを結ぶ空気通路に送風機と熱交換器とを設けた本体と、前記空気吸込部に対応する吸込口と、前記空気吹出部に対応する吹出口とを備えた化粧パネルと、前記本体と前記化粧パネルとの間に設けられ、外気を取り込む取込口と、取り込んだ外気を流通する流通路と、同流通路から外気を導出する導出口と、同導出口から導出した外気と前記吸込口から吸い込んだ空気とを前記空気吸込部に導く空気吸込路と、前記空気吹出部と前記吹出口とを連通する空気吹出路とを備えた外気取込用のスペーサとからなる天井埋込形の空気調和機において、
前記スペーサの導出口は、前記空気吸込路の四側に夫々設けられるとともに、前記取込口から遠ざかるに従ってその開口を大きくしてなることを特徴としている。
【００１０】
また、前記スペーサの導出口は、前記空気吸込路の四側の同じ位置に夫々設けられてなることを特徴としている。
【００１１】
また、前記スペーサの取込口は、同スペーサの複数箇所に設けられてなることを特徴としている。
【００１２】
また、前記スペーサの導出口は、同導出口に隣接する前記吹出口が閉止された際、閉塞されるようにしてなることを特徴としている。
【発明の効果】
【００１３】
本発明によれば、送風機の上流側に設けた空気吸込部に偏りなく外気を取り込める外気取込用のスペーサを備えることにより、ファンスピードや外気の取込量に制限が生じず、また、熱交換器に向かう空気や熱交換器を流通した空気に温度ムラが生じない天井埋込形の空気調和機を提供できる。
【発明を実施するための最良の形態】
【００１４】
次に、本発明の実施形態について図面を参照しながら説明する。
【００１５】
図１は本発明による天井埋込形の空気調和機の断面図であり、図２は本発明による天井埋込形の空気調和機の一実施例で、外気取込用のスペーサを上方から見た図であり、図３は本発明による天井埋込形の空気調和機の他の実施例で、外気取込用のスペーサを上方から見た図である。
【００１６】
本発明による天井埋込形の空気調和機は、図１および図２に示すように、空気調和機の本体１の下部中央に空気吸込部２が設けられ、空気吸込部２の四側外周に空気吹出部３が設けられ、これら空気吸込部２と空気吹出部３とを結ぶ空気通路には、送風ファンおよびファンモータからなる送風機４と、下部にドレンパン６を備えた熱交換器５とが設けられている。
【００１７】
本体１の下部には、空気吸込部２に向けて外気を吸い込めるように構成したスペーサ１３が設けられている。
【００１８】
スペーサ１３は、本体１に備えた空気吸込部２に連通する空気吸込路１３ａと、本体１に備えた空気吹出部３に連通する空気吹出路１３ｂとを備えており、これら空気吸込路１３ａと空気吹出路１３ｂとは夫々が上下に貫通した構成になっている。
【００１９】
スペーサ１３の下部には、本体１の下部中央に備えた空気吸込部２と、スペーサ１３に備えた空気吸込路１３ａとに連通する吸込口７を有するとともに、空気吸込部２の四側外周に備えた空気吹出部３と、スペーサ１３に備えた空気吹出路１３ｂとに連通する吹出口８を有する化粧パネル９が設けられており、図１に示すように、本体１と、スペーサ１３と、化粧パネル９とで天井埋込形の空気調和機が構成されている。
【００２０】
また、スペーサ１３は、一実施例として図１および図２に示すように、ダクトＤを接続して外気を取り込むための取込口１０と、取込口１０から取り込んだ外気を流通するため上方を開放して断面凹状に形成した流通路１１と、流通路１１に設けられて外気を導出するための複数の導出口１２ａ乃至導出口１２ｄとを備えており、複数の導出口１２ａ乃至導出口１２ｄから導出した外気は、空気吸込路１３ａから空気吸込部２に吸い込まれて熱交換器５に向かうように構成されている。
【００２１】
スペーサ１３に形成された流通路１１は、図１に示すように、外壁部１１ａと内壁部１１ｂと底壁部１１ｃとで断面凹状に構成されて、空気吸込路１３ａと空気吹出路１３ｂとの間に空気吸込路１３ａを囲繞するように形成されるとともに、開放されている上部がドレンパン６の下面に当接することによって断面角筒状に形成されている。
【００２２】
流通路１１の上部がドレンパン６の下面に当接することで、開放されていた断面凹状でなる流通路１１の上部が密閉されて、図２に示す矢印ｂのように、ダクトＤによって取り込まれた外気が、漏れることなく流通路１１を流通して、複数の導出口１２ａ乃至導出口１２ｄに向かうことになる。
【００２３】
これにより、スペーサ１３に備えた流通路１１が、密閉用の部材を個別に用いた構成によるのではなく、スペーサ１３と、ドレンパン６との組み合わせからなる簡便な構成で密閉されて断面角筒状に形成されることになる。
【００２４】
また、外気を流通路１１から空気吸込路１３ａに導出する複数の導出口１２ａ乃至導出口１２ｄは、図２に示すように、空気吸込路１３ａの四側をなす夫々の内壁部１１ｂの同じ位置（例えば同じ一端寄り）に夫々設けられた構成になっている。なお、導出口１２ａ乃至導出口１２ｄは、内壁部１１ｂの同じ位置（例えば同じ一端寄り）に単数づつ設けるのではなく、図示はしないが、夫々の内壁部１１ｂの同じ位置に複数づつ設けられた構成にしてもよい。
【００２５】
外気を流通路１１に取り込むための取込口１０は、図２に示すように、スペーサ１３のコーナ部に設けられており、該取込口１０からの外気を取り込めるように延出した流通路１１に接続された構成になっている。
【００２６】
取込口１０がスペーサ１３のコーナ部に設けられたことで、取込口１０に連なるように延出された流通路１１は空気吹出路１３ｂを避けて設置することができるようになっており、このスペーサ１３のコーナ部に設けられた取込口１０にはダクトＤが接続された構成になっている。
【００２７】
これにより、送風機４で吸い込まれることによってダクトＤから取込口１０を経て取り込まれ、取込口１０に連なるように延出された流通路１１を流通する外気は、図２に示す矢印ｂのように、空気吸込路１３ａを囲繞している流通路１１のコーナ部で分流することになる。
【００２８】
次に、取り込まれた外気が分流後の流通路１１を夫々流通しながら、四側の内壁部１１ｂの同じ位置（例えば同じ一端寄り）に夫々設けられた導出口１２ａおよび導出口１２ｂから一部の外気が空気吸込路１３ａに導出し、残りの外気が流通路１１の次のコーナ部で分流して、内壁部１１ｂの一端寄りに夫々設けられた導出口１２ｃおよび導出口１２ｄから空気吸込路１３ａに導出することになる。
【００２９】
その際、流通路１１は空気吸込路１３ａの四側を囲繞するように構成されているので、また、流通路１１を流通している外気を空気吸込路１３ａに導出させる複数の導出口１２ａ乃至導出口１２ｄは、この空気吸込路１３ａの四側をなす内壁部１１ｂに夫々配置されていることにより、送風機４によってダクトＤで取り込まれた外気が、四側の導出口１２ａ乃至導出口１２ｄから空気吸込路１３ａに向けて偏りなく均一に導出することになる。
【００３０】
また、空気吸込路１３ａの四側をなす内壁部１１ｂに備えた導出口１２ａ乃至導出口１２ｄは、図２に示すように、ダクトＤによって外気を取り込む取込口１０から遠ざかるに従って「１２ａ＜１２ｂ＜１２ｃ＜１２ｄ」の順に、その開口が大きくなるように形成されている。
【００３１】
これによって、取込口１０に近くて外気の流速が速い導出口１２ａを小さく形成し、流速が次第に遅くなる導出口１２ｂ乃至１２ｄを順次大きく形成したことで、図２の矢印ｂに示す夫々の導出口１２ａ乃至導出口１２ｄにおける外気流量の均一化を図れるようになる。
【００３２】
なお、空気調和機の本体１が、例えば、被空調室の壁面近傍に設置されたような場合であって、化粧パネル９の四側に設けられている吹出口８のうち壁面寄りの吹出口８を閉止し、閉止した吹出口８から吹出空気が吹き出されないようにしたい時には、この閉止した吹出口８に対応している流通路１１の導出口１２ａ乃至導出口１２ｄの何れかが閉塞されるようになっている。
【００３３】
この場合、スペーサ１３は、例えば発泡スチロールのような断熱性を有する部材で形成して、空気吸込路１３ａの四側をなす内壁部１１ｂに備えた導出口１２ａ乃至導出口１２ｄを切除可能なノックアウト穴とした構成にしておくことで、被空調室の形状や本体１を設置する位置などに対応して、空気吸込路１３ａの四側をなす内壁部１１ｂに備えたノックアウト穴からなる導出口１２ａ乃至導出口１２ｄを、選択的に切除して開放することができるようになる。
【００３４】
また、空気吸込路１３ａの四側をなす内壁部１１ｂに備えた導出口１２ａ乃至導出口１２ｄは、吹出口８に対応している内壁部１１ｂの同じ位置（例えば同じ一端寄り）に夫々配置された構成になっており、これによって、送風機４により、取込口１０から取り込まれて流通路１１を流通した外気が、導出口１２ａ乃至導出口１２ｄから空気吸込路１３ａを経て空気吸込部２にスムーズに吸い込まれるようになり、ファンスピードや外気の取込量に制限が生じる恐れがない。
【００３５】
なお、スペーサ１３のコーナ部に設けられ、ダクトＤを接続して外気を取り込む取込口１０に加えて、他の実施例として図３に示すように、スペーサ１３の他のコーナ部に、ダクトＤ’を接続するための取込口１０’が追加して設けられるような構成にして、外気の取込量を増やすとともに、図３の矢印ｂに示す夫々の導出口１２ａ乃至導出口１２ｄにおける外気流量の更なる均一化を図れるようにしてもよい。
【００３６】
これによって、取込口１０および取込口１０’から取り込まれて流通路１１および流通路１１’を流通した外気が、内壁部１１ｂに設けた導出口１２ａ乃至導出口１２ｄから空気吸込路１３ａを経て空気吸込部２に向けて、より均一に分岐された状態でスムーズに吸い込まれるようになり、ファンスピードや外気の取込量に更に制限が生じる恐れがなくなる。
【００３７】
この場合、空気吸込路１３ａの四側をなす内壁部１１ｂに備えた導出口１２ａ乃至導出口１２ｄは、図３に示すように、ダクトＤによって外気を取り込む取込口１０と、ダクトＤ’によって外気を取り込む取込口１０’とからの距離が同等である導出口１２ａおよび導出口１２ｃの大きさは「１２ａ＝１２ｃ」としてその開口を同等に形成し、それ以外の導出口１２ｂおよび導出口１２ｄは、導出口１２ａおよび導出口１２ｃよりも大きく、且つ、ダクトＤによって外気を取り込む取込口１０と、ダクトＤ’によって外気を取り込む取込口１０’とから遠ざかるに従って「１２ｂ＜１２ｄ」として、その開口を順次大きくなるように形成すればよい。
【００３８】
これにより、取込口１０に近くて外気の流速が速い導出口１２ａと、取込口１０’に近くて外気の流速が速い導出口１２ｃとを「１２ａ＝１２ｃ」として同等の大きさで形成し、流速が次第に遅くなる導出口１２ｂおよび導出口１２ｄの大きさを「１２ｂ＜１２ｄ」として、導出口１２ａおよび導出口１２ｃよりも順次大きくなるように形成することにより、図３の矢印ｂに示す夫々の導出口１２ａ乃至導出口１２ｄにおける外気の流量を、更に効果的に均一化できるようになる。
【００３９】
以上説明したように、本発明の構成によれば、スペーサ１３に設けられた外気導出用の導出口１２ａ乃至導出口１２ｄが、空気吸込路１３ａの四側をなす内壁部１１ｂに夫々設けられるとともに、取込口１０および取込口１０’から遠ざかるに従ってその開口が大きく形成されことにより、図２および図３に示す矢印ｂのように、外気導出用の導出口１２ａ乃至導出口１２ｄにおける外気は流量の均一化を図れるようになる。
【００４０】
これによって、外気導出用の導出口１２ａ乃至導出口１２ｄから導出された外気は、図１に示す矢印ａのように、吸込口７から吸い込まれた室内空気といっしょに、空気吸込路１３ａを経て空気吸込部２から熱交換器５に向けて温度ムラなく流通することになり、熱交換器５によって温度ムラが生じないように熱交換されたのち、空気吹出部３を経て空気吹出路１３ｂから吹出口８に向けて温度ムラのない吹出空気として送出されるようにした天井埋込形の空気調和機となる。
【００４１】
そして、上述したように熱交換器５に向かう空気に温度ムラが生じないので、熱交換器５に取り付けられたセンサの誤検知がなくなり、また、外気が偏りなく空気吸込路１３ａから空気吸込部２にスムーズに吸い込まれるようになり、且つ、温度ムラが生じないように熱交換できるので、ファンスピードや外気の取込量に制限が生じる恐れがなくなって送風効率のよい快適な空気調和を実現できるようになる。
【図面の簡単な説明】
【００４２】
【図１】本発明による天井埋込形の空気調和機の断面図である。
【図２】本発明による天井埋込形の空気調和機の一実施例で、外気取込用のスペーサを上方から見た図である。
【図３】本発明による天井埋込形の空気調和機の他の実施例で、外気取込用のスペーサを上方から見た図である。
【図４】従来例による天井埋込形の空気調和機の断面図である。
【符号の説明】
【００４３】
１  空気調和機の本体
２  空気吸込部
３  空気吹出部
４  送風機
５  熱交換器
６  ドレンパン
７  吸込口
８  吹出口
９  化粧パネル
Ｄ，Ｄ’  ダクト
１０，１０’  取込口
１１，１１’  流通路
１１ａ  外壁部
１１ｂ  内壁部
１１ｃ  底壁部
１２ａ，１２ｂ，１２ｃ，１２ｄ  導出口
１３  スペーサ
１３ａ  空気吸込路
１３ｂ  空気吹出路
【図１】
2010107054.tif 000003
【図２】
2010107054.tif 000004
【図３】
2010107054.tif 000005
【図４】
2010107054.tif 000006